(57)【要約】【課題】原画像のデータからその原画像を任意の位置で分割して複数の分割画像のデータを簡易に生成できること。【解決手段】画像処理装置１０において、区画線検出部８５１が、原画像のデータの画像処理により、前記原画像における予め定められた２方向の一方または両方に沿う複数の区画線画像の位置を検出する。さらに、分割画像データ生成部８５２が、前記原画像を前記区画線画像各々の位置で複数の分割画像へ分割し、前記分割画像各々のデータを生成する。【選択図】図２
2016139884.tif 000002
【特許請求の範囲】
【請求項１】
原画像のデータを取得する画像データ取得部と、
前記原画像のデータの画像処理により、前記原画像における予め定められた２方向の一方または両方に沿う複数の区画線画像の位置を検出する区画線検出部と、
前記原画像を前記区画線画像各々の位置で複数の分割画像へ分割し、前記分割画像各々のデータを生成する分割画像データ生成部と、を備える画像処理装置。
【請求項２】
前記区画線検出部は、予め定められた複数種類の前記区画線画像の位置を検出可能である、請求項１に記載の画像処理装置。
【請求項３】
操作部を通じた操作に従って、予め定められた候補の中から前記区画線画像の種類を選択する種類選択部を備え、
前記区画線検出部は、前記種類選択部により選択された種類の前記区画線画像の位置を検出する、請求項２に記載の画像処理装置。
【請求項４】
前記区画線画像の種類は、前記原画像を前記２方向のいずれかに沿って横断する線画像、前記原画像を横断せずに交差する線画像、実線の画像、破線の画像および特定の色の線画像のうちの１つまたは複数の組合せを含む、請求項２または請求項３に記載の画像処理装置。
【請求項５】
前記画像データ取得部が、原稿から前記原画像を読み取り、前記原画像のデータを生成する画像読取部を含む、請求項１から請求項４のいずれか１項に記載の画像処理装置。
【請求項６】
前記分割画像各々をシート状の画像記録媒体にページを分けて形成する画像形成部を備える、請求項１から請求項５のいずれか１項に記載の画像処理装置。
【請求項７】
原画像のデータを取得する工程と、
画像処理部が、前記原画像のデータの画像処理により、前記原画像における予め定められた２方向の一方または両方に沿う複数の区画線画像の位置を検出する工程と、
前記画像処理部が、前記原画像を前記区画線画像各々の位置で複数の分割画像へ分割し、前記分割画像各々のデータを生成する工程と、を含む画像処理方法。
【発明の詳細な説明】
【技術分野】
【０００１】
本発明は、原画像のデータから複数の分割画像のデータを生成する機能を備える画像処理装置および画像処理方法に関する。
【背景技術】
【０００２】
一般に、複写機などの画像処理装置が、複数ページ分の原稿の画像を、シート状の画像記録媒体の１ページに集約して形成する集約プリント機能を備えることが知られている。
【０００３】
また、本などの見開き原稿の２ページ分の画像を読み取り、各ページの画像を別々に形成する機能を備える画像形成装置が知られている（例えば、特許文献１参照）。
【先行技術文献】
【特許文献】
【０００４】
【特許文献１】特開２００５−３０３８８０号公報
【発明の概要】
【発明が解決しようとする課題】
【０００５】
ところで、複写機などを利用する一般的なユーザーにおいて、原画像のデータから前記原画像を任意の位置で分割した複数の分割画像のデータを生成したいというニーズがある。例えば、複数の画像コンテンツが合成された前記原画像のデータから、前記画像コンテンツ各々を分離して出力したい場合などである。
【０００６】
しかしながら、スキャナーおよび複写機などの従来の画像処理装置は、前記原画像のデータから前記原画像を任意の位置で分割して複数の前記分割画像のデータを生成する機能を備えていない。
【０００７】
本発明の目的は、原画像のデータからその原画像を任意の位置で分割して複数の分割画像のデータを簡易に生成できる画像処理装置および画像処理方法を提供することにある。
【課題を解決するための手段】
【０００８】
本発明の一の局面に係る画像処理装置は、画像データ取得部と、区画線検出部と、分割画像データ生成部とを備える。前記画像データ取得部は、原画像のデータを取得する。前記区画線検出部は、前記原画像のデータの画像処理により、前記原画像における予め定められた２方向の一方または両方に沿う複数の区画線画像の位置を検出する。前記分割画像データ生成部は、前記原画像を前記区画線画像各々の位置で複数の分割画像へ分割し、前記分割画像各々のデータを生成する。
【０００９】
本発明の他の局面に係る画像処理方法は、以下に示される各工程を含む。第１の工程は、原画像のデータを取得する工程である。第２の工程は、画像処理部が、前記原画像のデータの画像処理により、前記原画像における予め定められた２方向の一方または両方に沿う複数の区画線画像の位置を検出する工程である。第３の工程は、前記画像処理部が、前記原画像を前記区画線画像各々の位置で複数の分割画像へ分割し、前記分割画像各々のデータを生成する工程である。
【発明の効果】
【００１０】
本発明によれば、原画像のデータからその原画像を任意の位置で分割して複数の分割画像のデータを簡易に生成できる画像処理装置および画像処理方法を提供することが可能になる。
【図面の簡単な説明】
【００１１】
【図１】図１は、実施形態に係る画像処理装置の構成図である。
【図２】図２は、実施形態に係る画像処理装置における制御関連機器のブロック図である。
【図３】図３は、実施形態に係る画像処理装置における画像読取・出力処理の手順の一例を示すフローチャートである。
【図４】図４は、実施形態に係る画像処理装置が出力するジョブ選択画面の一例を示す図である。
【図５】図５は、実施形態に係る画像処理装置が出力する区画線種類選択画面の一例を示す図である。
【図６】図６は、原稿の一例を示す図である。
【図７】図７は、区画線画像が記された原稿の一例を示す図である。
【図８】図８は、フリーハンドで区画線画像が記された原稿の一例を示す図である。
【図９】図９は、実施形態に係る画像処理装置が出力する分割画像データの画像の一例を示す図である。
【図１０】図１０は、実施形態に係る画像処理装置によって分割画像が形成された画像記録媒体の一例を示す図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［画像処理装置１０の構成］
まず、図１，２を参照しつつ、実施形態に係る画像処理装置１０の構成について説明する。画像処理装置１０は、画像読取装置１および画像形成装置２を備える。さらに、画像処理装置１０は、画像読取装置１および画像形成装置２に共通の制御部８および操作表示部８０も備える。
【００１４】
例えば、画像処理装置１０は、複写機、複写機の機能を有するプリンターもしくはファクシミリ、または画像読取機能を含む複数の画像処理機能を備える複合機などである。
【００１５】
図１が示すように、画像読取装置１は、透明の原稿台１３、画像走査部１１および原稿台カバー１２を備える。原稿台カバー１２には、ＡＤＦ（Auto Document Feeder）１２０が組み込まれている。
【００１６】
原稿台１３は、画像の読み取り対象物である原稿９０が載置される部分である。一般に、原稿台１３はプラテンガラスと称される。原稿台カバー１２は、画像処理装置１０の筐体１００に対し、原稿台１３を覆う閉位置と原稿台１３上を解放する開位置との間で回動可能に支持されている。
【００１７】
画像走査部１１は、発光部１１２、走査機構１１１、ミラーおよびレンズなどの光学系１１３及びイメージセンサー１１４などを備える。以下の説明において、水平面内における一の方向およびそれに直交する方向のことを、それぞれ主走査方向Ｒ１および副走査方向Ｒ２と称する。
【００１８】
発光部１１２は、透明の原稿台１３に載置された原稿９０に向けて光を照射する光源である。例えば、発光部１１２が、主走査方向Ｒ１に沿って配列された複数の発光ダイオードを含むＬＥＤアレイであることが考えられる。また、発光部１１２が、主走査方向Ｒ１に沿う直管状の蛍光灯であることも考えられる。
【００１９】
光学系１１３は、原稿９０に照射された発光部１１２の光の反射光をイメージセンサー１１４の受光部へ導くためのミラーおよびレンズなどを含む。
【００２０】
イメージセンサー１１４は、原稿９０における主走査方向Ｒ１に沿う線状領域からの反射光の光量を画素ごとに検出し、検出した各画素の光量データを画像データとして出力するセンサーである。例えば、イメージセンサー１１４がＣＣＤ（Charge Coupled Device）１１４であることが考えられる。
【００２１】
走査機構１１１は、発光部１１２および光学系１１３の一部を支持して副走査方向Ｒ２に沿って移動させる機構である。これにより、副走査方向Ｒ２における原稿９０の走査位置、即ち、イメージセンサー１１４による反射光の検出対象位置が変化する。なお、走査機構１１１は、ステッピングモーターなどの不図示の駆動部も備える。
【００２２】
なお、発光部１１２、イメージセンサー１１４およびレンズが一体化された密着イメージセンサー（ＣＩＳ）が、画像走査部１１に採用されることも考えられる。この場合、密着イメージセンサーは、走査機構１１１によって副走査方向Ｒ２に沿って移動可能に支持される。
【００２３】
ＡＤＦ１２０は、回転する複数の搬送ローラー１２２により、原稿トレイ１２１にセットされた原稿９０を、画像読取位置を経由して原稿排出トレイ１２３まで搬送する。その際、走査機構１１１が前記画像読取位置に停止した状態で、画像走査部１１は原稿９０の画像を読み取る。
【００２４】
以上に示したように、画像走査部１１は、原稿９０から画像を読み取り、読み取った画像のデータを生成する。本実施形態において、画像走査部１１が読み取る対象となる原稿９０の画像のことを原画像Ｉｍ１と称する。また、画像走査部１１が生成する原画像Ｉｍ１の画像データのことを原画像データと称する。
【００２５】
画像形成装置２は、画像読取装置１から出力される画像データに応じた画像をシート状の画像記録媒体９に形成する装置である。画像記録媒体９は、紙、コート紙、ハガキ、封筒、およびＯＨＰシートなどのシート状の媒体である。
【００２６】
例えば、画像形成装置２は、シート搬送部３、画像形成部４、光走査部５および定着部６などを備える。図１が示す画像形成装置２は、電子写真方式の画像形成装置である。なお、画像形成装置２がインクジェット方式などの他の方式の画像形成装置であることも考えられる。
【００２７】
前記シート搬送部３において、シート送出部ローラー３１が画像記録媒体９をシート収容部３０からシート搬送路３００へ送り出す。さらに、シート搬送ローラー３２が画像記録媒体９をシート搬送路３００に沿って搬送する。さらに、排出ローラー３３が画像形成後の画像記録媒体９をシート搬送路３００の出口から画像記録媒体排出トレイ１０１上へ排出する。
【００２８】
画像形成部４は、シート搬送路３００を移動中の画像記録媒体９の表面に画像を形成する。画像形成部４は、ドラム状の感光体４１、帯電部４２、現像部４３、転写部４５およびクリーニング部４７などを備える。なお、感光体４１は像担持体の一例である。
【００２９】
感光体４１が回転し、帯電部４２が感光体４１の表面を一様に帯電させる。さらに、光走査部５がレーザー光を走査することにより帯電した感光体４１の表面に静電潜像を書き込む。さらに、現像部４３が感光体４１に現像剤を供給することにより、前記静電潜像を前記現像剤の像へ現像する。なお、現像剤は、不図示の現像剤補給部から現像部４３へ供給される。
【００３０】
さらに、転写部４５が、シート搬送路３００を移動中の前記画像記録媒体９に感光体４１表面の前記現像剤の像を転写する。最後に、クリーニング部４７が感光体４１表面に残存する前記現像剤を除去する。
【００３１】
定着部６は、ハロゲンヒーターなどのヒーターを内包する定着ローラー６１と加圧ローラー６２との間に画像が形成された画像記録媒体９を挟み込み、後工程へ送り出す。これにより、定着部６は、画像記録媒体９上の前記現像剤の像である画像を加熱し、画像記録媒体９上にその画像を定着させる。
【００３２】
操作表示部８０は、例えばタッチパネルおよび操作ボタンなどを含む情報入力用の操作部と、液晶表示パネルおよび通知ランプなどを含む表示部とを含む。
【００３３】
制御部８は、操作表示部８０を通じて入力される入力情報および不図示の各種センサーの検出結果に基づいて、画像処理装置１０が備える各種の電気機器を制御する。また、制御部８は、操作表示部８０に操作メニューなどを表示させる。さらに、制御部８は、画像読取装置１を通じて入力される画像に対する画像処理を実行する。
【００３４】
例えば、図２が示すように、制御部８は、ＭＰＵ（Micro Processor Unit）８１、記憶部８２、走査制御部８３、発光制御部８４、画像処理部８５、画像形成制御部８６、信号インターフェイス８７および通信部８８などを備える。
【００３５】
ＭＰＵ８１は、各種の演算処理を実行するプロセッサーである。記憶部８２は、ＭＰＵ８１に各種の処理を実行させるためのプログラムおよびその他のデータが予め記憶される不揮発性の情報記憶媒体である。さらに、記憶部８２は、ＭＰＵ８１によって各種データを読み書き可能な情報記憶媒体でもある。
【００３６】
制御部８は、ＭＰＵ８１が記憶部８２に予め記憶された各種のプログラム実行することにより画像処理装置１０を統括的に制御する。なお、ＭＰＵ８１は、前記プログラムを一次記憶するＲＡＭ（Read Only Memory）を含む。
【００３７】
信号インターフェイス８７は、ＭＰＵ８１とセンサーおよび制御対象機器などとの間の信号の受け渡しを中継するインターフェイス回路である。ＭＰＵ８１は、信号インターフェイス８７を介して操作表示部８０と信号の受け渡しを行う。さらに、ＭＰＵ８１は、信号インターフェイス８７を介して制御対象機器へ制御信号を出力する。
【００３８】
走査制御部８３は、画像走査部１１の走査機構１１１を制御することにより、画像走査部１１による副走査方向Ｒ２の走査位置、即ち、画像走査部１１が走査対象とする前記線状領域の位置を制御する。
【００３９】
発光制御部８４は、画像走査部１１の発光部１１２を制御し、状況に応じて発光部１１２の発光状態を切り替える。
【００４０】
画像処理部８５は、画像走査部１１を通じて得られる前記原画像データを入力し、画像処理を実行する。例えば、画像処理部８５は、画像処理が施された後の画像データを記録用画像データとして画像形成制御部８６へ出力する。
【００４１】
画像形成制御部８６は、画像処理部８５が出力する前記記録用画像データを入力し、その記録用画像データが示す各画素の濃度に応じて光走査部５が出力するレーザー光の光量を調節する。これにより、前記記録用画像データに応じた前記静電潜像が感光体４１の表面に書き込まれる。
【００４２】
さらに、画像形成制御部８６は、画像形成部４を制御することにより、前記静電潜像に応じた画像を画像記録媒体９に形成する処理を画像形成部４に実行させる。
【００４３】
通信部８８は、ネットワーク９００を通じて他の機器との間でデータ通信を実行する。例えば、通信部８８は、ＭＰＵ８１と他の機器との間および画像処理部８５と他の機器との間のデータ通信を中継する。
【００４４】
ところで、複写機などを利用する一般的なユーザーにおいて、前記原画像データから前記原画像を任意の位置で分割した複数の分割画像のデータを生成したいというニーズがある。例えば、複数の画像コンテンツが合成された前記原画像のデータから、前記画像コンテンツ各々を分離して出力したい場合などである。
【００４５】
図６は、原稿９０の一例である。図６が示すように、原稿９０に形成された原稿画像Ｉｍ０が複数の画像コンテンツを含む場合がある。このような原稿画像Ｉｍ０のデータから、前記画像コンテンツ各々を分離して出力したい場合がある。
【００４６】
しかしながら、スキャナーおよび複写機などの従来の画像処理装置は、図６が示すような原稿画像Ｉｍ０のデータから原稿画像Ｉｍ０を任意の位置で分割して複数の前記分割画像のデータを生成する機能を備えていない。
【００４７】
一方、画像処理装置１０は、原画像Ｉｍ１のデータからその原画像Ｉｍ１を任意の位置で分割して複数の分割画像のデータを簡易に生成できる。なお、本実施形態における原画像Ｉｍ１は、元の原稿画像Ｉｍ０に簡易な区画線が追記された画像である。
【００４８】
［画像読取・出力処理］
次に、図３が示すフローチャートを参照しつつ、画像処理装置１０の制御部８が実行する画像読取・出力処理の手順の一例について説明する。以下の説明において、Ｓ１，Ｓ２，…は、制御部８が実行する各工程の識別符号を表す。
【００４９】
前記画像読取・出力処理は、例えば、画像処理装置１０が起動した後の最初に、または画像処理装置１０が起動した後に実行されるユーザーログイン処理が成功したときなどに実行される。
【００５０】
＜工程Ｓ１＞
前記画像読取・出力処理において、まず、ＭＰＵ８１が、動作モード選択処理を実行する。前記動作モード選択処理は、操作表示部８０に対する操作に従ってジョブの動作モードを設定する処理である。
【００５１】
例えば、ＭＰＵ８１は、前記動作モード選択処理において、図４に示されるようなジョブ選択画面ｇ１を操作表示部８０に出力する。ジョブ選択画面ｇ１は、実行するジョブとして複写ジョブ、画像データ送信ジョブおよび画像データ保存ジョブのいずれかを選択するための画面である。
【００５２】
図４が示す例では、ジョブ選択画面ｇ１は、選択対象の各ジョブに対応する複写選択アイコンｇ１１、画像データ送信選択アイコンｇ１２および画像データ保存選択アイコンｇ１３を含む。ＭＰＵ８１は、ジョブ選択画面ｇ１のアイコンに対応する操作に従ってジョブを選択する。
【００５３】
また、図４のジョブ選択画面ｇ１は、分割選択アイコンｇ１４も含む。ＭＰＵ８１は、分割選択アイコンｇ１４に対する操作に従って、画像分割モードを有効にするか無効にするかを選択する。
【００５４】
前記画像分割モードは、原稿９０から読み取られた画像のデータから、予め原稿９０に記されている区画線の位置で分割した複数の分割画像のデータを生成するモードである。以下の説明において、原稿９０に追記される前記区画線の画像のことを区画線画像Ｌ０と称する。
【００５５】
前記画像分割モードが選択される場合、読み取り対象となる原稿９０の原画像Ｉｍ１は、原稿画像Ｉｍ０に区画線画像Ｌ０が付加された画像である。
【００５６】
図７，８は、図６に示される原稿画像Ｉｍ０に複数の種類の区画線画像Ｌ０が追記された原画像Ｉｍ１を含む原稿９０の一例を示す。また、図８は、フリーハンドで区画線画像Ｌ０が記された原稿９０の一例を示す。
【００５７】
区画線画像Ｌ０は、原稿９０の原画像Ｉｍ１における予め定められた２方向の一方または両方に沿って形成される。例えば、区画線画像Ｌ０は、原画像Ｉｍ１における主走査方向Ｒ１および副走査方向Ｒ２各々に相当する第１方向Ｄ１および第２方向Ｄ２の一方または両方に沿って形成される。この場合、２方向Ｄ１，Ｄ２は相互に直交する方向である。
【００５８】
図７（ａ）は、区画線画像Ｌ０が、原画像Ｉｍ１を第１方向Ｄ１および第２方向Ｄ２の各々に沿って横断する実線の画像である例を示す。図７（ｂ）は、区画線画像Ｌ０が、原画像Ｉｍ１を横断せずに、第１方向Ｄ１および第２方向Ｄ２の各々に沿って交差する実線の画像である例を示す。
【００５９】
図７（ｃ）は、区画線画像Ｌ０が、原画像Ｉｍ１を第１方向Ｄ１および第２方向Ｄ２の各々に沿って横断する破線の画像である例を示す。図７（ａ）〜図７（ｃ）の区画線画像Ｌ０は、例えば定規などを用いて記された直線である。
【００６０】
一方、図８（ａ）および図８（ｂ）各々の区画線画像Ｌ０は、図７（ａ）および図７（ｂ）各々の区画線画像Ｌ０と同じ種類であるが、フリーハンドで記されたやや歪んだ線である。
【００６１】
なお、区画線画像Ｌ０の形状が原画像Ｉｍ１を横断する形状である場合、原画像Ｉｍ１が、第１方向Ｄ１および第２方向Ｄ２のいずれか一方に沿う１本または複数本の区画線画像Ｌ０のみを含む画像であってもよい。
【００６２】
前記画像分割モードが選択された場合、ＭＰＵ８１は、工程Ｓ１において、区画線種類選択処理を実行する。前記区画線種類選択処理は、操作表示部８０の前記操作部を通じた操作に従って、予め定められた候補の中から区画線画像Ｌ０の種類を選択する処理である。この処理を実行するＭＰＵ８１が種類選択部の一例である。
【００６３】
前記画像分割モードが選択された場合、ＭＰＵ８１は、例えば図５に示されるような区画線種類選択画面ｇ２を操作表示部８０に出力する。図５が示す例では、区画線種類選択画面ｇ２が、第１種類選択欄ｇ２１、第２種類選択欄ｇ２２および第３種類選択欄ｇ２３を含む。
【００６４】
第１種類選択欄ｇ２１は、区画線画像Ｌ０の形状を複数の候補から選択するための操作欄である。図５が示す例では、前記区画線画像Ｌ０の形状の候補は、原画像Ｉｍ１を第１方向Ｄ１および第２方向Ｄ２の一方または両方に沿って横断する形状である。
【００６５】
第２種類選択欄ｇ２２は、区画線画像Ｌ０の線パターンを複数の候補から選択するための操作欄である。図５が示す例では、前記線パターンの候補は、実線および破線である。
【００６６】
第３種類選択欄ｇ２３は、区画線画像Ｌ０の色を複数の候補から選択するための操作欄である。図５が示す例では、前記色の候補は、黒、赤、青および緑である。
【００６７】
本実施形態において、選択される区画線画像Ｌ０の種類は、区画線画像Ｌ０の形状、前記線パターンおよび色の組合せである。後述するように、画像処理部８５は、原画像Ｉｍ１における選択された種類の区画線画像Ｌ０の位置を検出する。
【００６８】
以上に示されるように、区画線画像Ｌ０の種類は、原画像Ｉｍ１を２方向Ｄ１，Ｄ２のいずれかに沿って横断する線画像、原画像Ｉｍ１を横断せずに交差する線画像、実線の画像、破線の画像および特定の色の線画像のうちの複数の組合せを含む。なお、フリーハンド直線が、前記区画線種類選択処理における区画線画像Ｌ０の種類の選択候補の１つであることも考えられる。
【００６９】
ＭＰＵ８１は、操作表示部８０における不図示の開始ボタンに対する操作を検知したときに、前記動作モード選択処理を終了させ、処理を次の工程へ移行させる。
【００７０】
工程Ｓ１の処理は、ＭＰＵ８１が動作モード選択プログラムＰｒ１を実行することによって実現される。動作モード選択プログラムＰｒ１を実行するＭＰＵ８１は、区画線画像Ｌ０の種類を選択する種類選択部などの一例である。
【００７１】
＜工程Ｓ２＞
前記動作モード選択処理が終了すると、走査制御部８３および発光制御部８４が、画像走査部１１に対し画像読取処理を実行させる。前記原画像読取処理は、原稿９０から原画像Ｉｍ１を読み取り、原画像Ｉｍ１のデータである前記原画像データを生成する処理である。
【００７２】
なお、画像走査部１１は画像読取部の一例である。また、前記画像読取部は原画像Ｉｍ１のデータを取得する画像データ取得部の一例である。
【００７３】
＜工程Ｓ３＞
前記原画像データが得られると、画像処理部８５が区画線検出処理を実行する。前記区画線検出処理は、前記原画像データの画像処理により、原画像Ｉｍ１における第１方向Ｄ１および第２方向Ｄ２の一方または両方に沿う複数の区画線画像Ｌ０の位置を検出する処理である。
【００７４】
画像処理部８５は、原画像Ｉｍ１における複数の区画線画像Ｌ０の位置を検出する処理を実行する区画線検出部８５１を含む。
【００７５】
本実施形態においては、画像処理部８５は、予め用意された複数の検出アルゴリズムの中から、前記区画線種類選択処理で選択された区画線画像Ｌ０の種類に応じた前記検出アルゴルズムを採用する。これにより、画像処理部８５は、工程Ｓ１で選択された種類の区画線画像Ｌ０の位置を検出する。
【００７６】
例えば、原画像Ｉｍ１を横断する実線が区画線画像Ｌ０の種類として選択されている場合、画像処理部８５は、２方向Ｄ１，Ｄ２各々に沿って原画像Ｉｍ１の一端から他端まで連続する線画像を区画線画像Ｌ０として検出する。
【００７７】
また、原画像Ｉｍ１を横断せずに交差する実線が区画線画像Ｌ０の種類として選択されている場合、画像処理部８５は、２方向Ｄ１，Ｄ２各々に沿って予め定められた長さ以上で連続するとともに直交する複数の線画像を区画線画像Ｌ０として検出する。
【００７８】
また、破線が区画線画像Ｌ０の種類として選択されている場合、画像処理部８５は、２方向Ｄ１，Ｄ２各々に沿って予め定められた範囲の長さおよび間隔で並ぶ複数の線分の画像を区画線画像Ｌ０として検出する。
【００７９】
また、区画線画像Ｌ０の種類として特定の色が選択されている場合、画像処理部８５は、原画像Ｉｍ１から選択された色の画像のみを抽出し、その色の画像に対して区画線画像Ｌ０を検出する処理を実行する。
【００８０】
また、区画線画像Ｌ０の種類として前記フリーハンド直線が選択されている場合、画像処理部８５は、２方向Ｄ１，Ｄ２各々に沿った線の画像であると判定する許容範囲を他の場合よりも広げた条件の下で、区画線画像Ｌ０を検出する処理を実行する。
【００８１】
＜工程Ｓ４＞
原画像Ｉｍ１における区画線画像Ｌ０の位置の検出が終了すると、画像処理部８５は、分割画像データ生成処理を実行する。前記分割画像データ生成処理は、原画像Ｉｍ１を区画線画像Ｌ０各々の位置で複数の分割画像Ｉｍ２へ分割し、分割画像Ｉｍ２各々のデータである分割画像データを生成する処理である。
【００８２】
画像処理部８５は、原画像Ｉｍ１を複数の分割画像Ｉｍ２へ分割し、前記分割画像データを生成する処理を実行する分割画像データ生成部８５２を含む。
【００８３】
画像処理部８５は、前記分割画像データ生成処理において、原画像Ｉｍ１から工程Ｓ３で検出した区画線画像Ｌ０を消去した上で、原画像Ｉｍ１を複数の分割画像Ｉｍ２へ分割する。区画線画像Ｌ０を除去する処理は、例えば、区画線画像Ｌ０の各画素のデータを、それに隣接する画素のデータに置換する処理である。
【００８４】
図９は、図７，８に示される原画像Ｉｍ１に対する前記分割画像データ生成処理によって得られる６つの分割画像Ｉｍ２を示す。
【００８５】
＜工程Ｓ５＞
次に、ＭＰＵ８１が、工程Ｓ１で選択されたジョブが前記複写ジョブ、前記画像データ送信ジョブおよび前記画像データ保存ジョブのいずれであるかに応じて、次に実行するジョブを制御する。
【００８６】
工程Ｓ５の処理は、ＭＰＵ８１が分割画像出力制御プログラムＰｒ２を実行することによって実現される。分割画像出力制御プログラムＰｒ２を実行するＭＰＵ８１は、操作表示部８０の前記操作部に対する操作に従って、前記分割画像データの出力態様を制御する。
【００８７】
＜工程Ｓ６＞
前記複写ジョブが選択されている場合、ＭＰＵ８１からの指令に応じて、画像形成制御部８６が、光走査部５および画像形成部４を制御することにより、画像形成部４に分割画像形成処理を実行させる。前記分割画像形成処理は、分割画像Ｉｍ２各々をシート状の画像記録媒体９にページを分けて形成する処理である。
【００８８】
図１０は、工程Ｓ５の処理によって分割画像Ｉｍ２が形成された画像記録媒体９の一例を示す図である。なお、図１０において、２ページ分の画像記録媒体９における分割画像Ｉｍ２が示されているが、他の分割画像Ｉｍ２の表示は省略されている。
【００８９】
例えば、前記動作モード選択処理（Ｓ１）において、前記複写ジョブが選択される場合に、倍率自動設定モードおよび中央配置モードの一方または両方を選択可能にすることが考えられる。この場合、工程Ｓ５において、画像形成部４は、選択されたモードに応じて分割画像Ｉｍ２を画像記録媒体９に形成する。
【００９０】
前記倍率自動設定モードは、分割画像Ｉｍ２をその第１方向Ｄ１の幅が画像記録媒体９の幅と一致する倍率で拡大または縮小して画像記録媒体９に形成する画像形成モードである。図１０は、前記倍率自動設定モードが選択された場合に画像処理装置１０によって分割画像Ｉｍ２が形成された画像記録媒体９の一例を示す。
【００９１】
前記中央配置モードは、分割画像Ｉｍ２を第１方向Ｄ１および第２方向Ｄ２の一方または両方における画像記録媒体９の中央の位置に形成する画像形成モードである。
【００９２】
＜工程Ｓ７＞
また、工程Ｓ１で前記画像データ送信ジョブが選択されている場合、ＭＰＵ８１は、画像処理部８５が生成した複数の前記分割画像データを他の機器へ通信部８８を通じて送信する。前記分割画像データの送信先は、例えば工程Ｓ１において操作表示部８０に対する操作に応じて設定される。
【００９３】
工程Ｓ７は、ＭＰＵ８１が分割画像データ送信プログラムＰｒ３を実行することによって実現される。
【００９４】
＜工程Ｓ８＞
また、工程Ｓ１で前記画像データ保存ジョブが選択されている場合、ＭＰＵ８１は、生成した複数の前記分割画像データを記憶部８２における予め設定されたデータフォルダー内に保存する。前記データフォルダーは、例えば工程Ｓ１において操作表示部８０に対する操作に応じて設定される。
【００９５】
工程Ｓ８は、ＭＰＵ８１が分割画像データ保存プログラムＰｒ４を実行することによって実現される。工程Ｓ６〜Ｓ８のいずれかの終了により、前記画像読取・出力処理が終了する。
【００９６】
画像処理装置１０が採用されれば、原稿９０に区画線画像Ｌ０を記すというごく簡易な作業が行われるだけで、原画像Ｉｍ１のデータからその原画像Ｉｍ１を任意の位置で分割して複数の分割画像Ｉｍ２のデータを簡易に生成することができる。
【００９７】
また、画像処理部８５は、予め定められた複数種類の区画線画像Ｌ０の位置を検出可能である。これにより、ユーザーが原稿９０に区画線画像Ｌ０を記す際の自由度が高まり、利便性が向上する。
【００９８】
また、画像処理部８５は、選択された種類の区画線画像Ｌ０の位置を検出する。そのため、原稿９０に元々形成されている原稿画像Ｉｍ０と混同が生じにくい区画線画像Ｌ０の種類が選択されることにより、区画線画像Ｌ０の位置の検出精度が高まる。
【００９９】
[応用例]
以上に示された画像処理装置１０において、前記区画線種類選択処理が省略されることも考えられる。この場合、画像処理部８５は、予め定められた複数の種類の全てについて、原画像Ｉｍ１における区画線画像Ｌ０の位置を検出する。
【０１００】
また、画像処理部８５が検出可能な原画像Ｉｍ１の種類が予め定められた１つに限定されていることも考えられなくはない。
【０１０１】
また、画像処理装置１０が前記原画像データを取得する方法としては、画像走査部１１が原稿９０から原画像Ｉｍ１を読み取ること以外の方法も考えられる。例えば、通信部８８が他の機器から前記原画像データを受信することも考えられる。
【０１０２】
なお、本発明に係る画像処理装置および画像処理方法は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１０３】
１      ：画像読取装置
２      ：画像形成装置
３      ：シート搬送部
４      ：画像形成部
５      ：光走査部
６      ：定着部
８      ：制御部
９      ：画像記録媒体
１０    ：画像処理装置
１１    ：画像走査部
１２    ：原稿台カバー
１３    ：原稿台
３０    ：シート収容部
３１    ：シート送出部ローラー
３２    ：シート搬送ローラー
３３    ：排出ローラー
４１    ：感光体
４２    ：帯電部
４３    ：現像部
４５    ：転写部
４７    ：クリーニング部
６１    ：定着ローラー
６２    ：加圧ローラー
８０    ：操作表示部
８１    ：ＭＰＵ
８２    ：記憶部
８３    ：走査制御部
８４    ：発光制御部
８５    ：画像処理部
８６    ：画像形成制御部
８７    ：信号インターフェイス
８８    ：通信部
９０    ：原稿
１００  ：筐体
１０１  ：画像記録媒体排出トレイ
１１１  ：走査機構
１１２  ：発光部
１１３  ：光学系
１１４  ：イメージセンサー
１２１  ：原稿トレイ
１２２  ：搬送ローラー
１２３  ：原稿排出トレイ
３００  ：シート搬送路
８５１  ：区画線検出部
８５２  ：分割画像データ生成部
９００  ：ネットワーク
Ｄ１    ：第１方向
Ｄ２    ：第２方向
Ｉｍ０  ：原稿画像
Ｉｍ１  ：原画像
Ｉｍ２  ：分割画像
Ｌ０    ：区画線画像
Ｐｒ１  ：動作モード選択プログラム
Ｐｒ２  ：分割画像出力制御プログラム
Ｐｒ３  ：分割画像データ送信プログラム
Ｐｒ４  ：分割画像データ保存プログラム
Ｒ１    ：主走査方向
Ｒ２    ：副走査方向
【図１】
2016139884.tif 000003
【図２】
2016139884.tif 000004
【図３】
2016139884.tif 000005
【図４】
2016139884.tif 000006
【図５】
2016139884.tif 000007
【図６】
2016139884.tif 000008
【図７】
2016139884.tif 000009
【図８】
2016139884.tif 000010
【図９】
2016139884.tif 000011
【図１０】
2016139884.tif 000012